【手続補正書】
【提出日】平成19年2月5日(2007.2.5)
【手続補正１】
【補正対象書類名】明細書
【補正対象項目名】特許請求の範囲
【補正方法】変更
【補正の内容】
【特許請求の範囲】
【請求項１】  撮像装置により得られた画像情報を表示装置に伝送し、この表示装置により伝送された画像情報に対応する画像を表示する撮像表示システムであって、
上記撮像装置は、
Ｘ−Ｙアドレス型の固体撮像素子と、
上記固体撮像素子の全撮像領域中の一部の領域を特定する特定手段と、
上記特定手段により特定された全撮像領域中の一部の領域の画素を走査するためのブロック走査駆動信号を発生するブロック走査駆動信号発生手段と、
上記固体撮像素子の全撮像領域の画素について所定の間引き率で特定画素を間引いて走査するための間引き走査駆動信号を発生する間引き走査駆動信号発生手段と、
上記ブロック走査駆動信号と上記間引き走査駆動信号とを切り換えるための駆動信号切換手段とを有し、
上記表示装置は、
上記ブロック又は間引き走査駆動信号により走査され上記固体撮像素子より出力された画像情報を記憶するメモリ手段と、
上記メモリ手段に記憶された画像情報に対応する画像を表示するための表示手段とを有することを特徴とする撮像表示システム。
【請求項２】  上記メモリ手段は、上記ブロック走査駆動信号により走査され上記固体撮像素子より出力された画像情報を記憶するブロックメモリ手段と、上記間引き走査駆動信号により走査され上記固体撮像素子より出力された画像情報を記憶する間引きメモリ手段とを備えてなり、上記表示装置は、更に、切り換えられた駆動信号に応じて各メモリ手段を選択するメモリ選択手段を有することを特徴とする請求項１に記載の撮像表示システム。
【請求項３】  撮像装置により得られた画像情報を表示装置に伝送し、この表示装置により伝送された画像情報に対応する画像を表示する撮像表示システムであって、
上記撮像装置は、
Ｘ−Ｙアドレス型の固体撮像素子と、
上記固体撮像素子の全撮像領域中の一部の領域を特定する特定手段と、
上記特定手段により特定された全撮像領域中の一部の領域の画素を走査するためのブロック走査駆動信号を発生するブロック走査駆動信号発生手段と、
上記固体撮像素子の全撮像領域の画素を走査するための全画素走査駆動信号を発生する全画素走査駆動信号発生手段と、
上記ブロック走査駆動信号と上記全画素走査駆動信号とを切り換えるための駆動信号切換手段とを有し、
上記表示装置は、
上記ブロック又は全画素走査駆動信号により走査され上記固体撮像素子より出力された画像情報を記憶するメモリ手段と、
上記メモリ手段に記憶された画像情報に対応する画像を表示するための表示手段とを有することを特徴とする撮像表示システム。
【請求項４】  上記メモリ手段は、上記ブロック走査駆動信号により走査され上記固体撮像素子より出力された画像情報を記憶するブロックメモリ手段と、上記全画素走査駆動信号により走査され上記固体撮像素子より出力された画像情報を記憶する全画素メモリ手段とを備えてなり、上記表示装置は、更に、切り換えられた駆動信号に応じて各メモリ手段を選択するメモリ選択手段を有することを特徴とする請求項３に記載の撮像表示システム。
【請求項５】  撮像装置により得られた画像情報を表示装置に伝送し、この表示装置により伝送された画像情報に対応する画像を表示する撮像表示システムであって、
上記撮像装置は、
Ｘ−Ｙアドレス型の固体撮像素子と、
上記固体撮像素子の全撮像領域中の一部の領域を特定する特定手段と、
上記固体撮像素子の全撮像領域の画素を走査するための全画素走査駆動信号を発生する全画素走査駆動信号発生手段と、
上記固体撮像素子の全撮像領域の画素について所定の間引き率で特定画素を間引いて走査するための間引き走査駆動信号を発生する間引き走査駆動信号発生手段と、
上記特定手段の出力に基づいて、上記全画素走査駆動信号と上記間引き走査駆動信号とを切り換えるための駆動信号切換手段とを有し、
上記表示装置は、
上記全画素又は間引き走査駆動信号により走査され上記固体撮像素子より出力された画像情報を記憶するメモリ手段と、
上記メモリ手段に記憶された画像情報に対応する画像を表示するための表示手段とを有することを特徴とする撮像表示システム。
【請求項６】  上記メモリ手段は、上記全画素走査駆動信号により走査され上記固体撮像素子より出力された画像情報を記憶する全画素メモリ手段と、上記間引き走査駆動信号により走査され上記固体撮像素子より出力された画像情報を記憶する間引きメモリ手段とを備えてなり、上記表示装置は、更に、切り換えられた駆動信号に応じて各メモリ手段を選択するメモリ選択手段を有することを特徴とする請求項５に記載の撮像表示システム。
【請求項７】  撮像装置により得られた画像情報を表示装置に伝送し、この表示装置により伝送された画像情報に対応する画像を表示する撮像表示システムであって、
上記撮像装置は、
Ｘ−Ｙアドレス型の固体撮像素子と、
上記固体撮像素子の全撮像領域中の一部の領域を特定する特定手段と、
上記特定手段により特定された全撮像領域中の一部の領域の画素を走査するためのブロック走査駆動信号を発生するブロック走査駆動信号発生手段と、
上記固体撮像素子の全撮像領域の画素を走査するための全画素走査駆動信号を発生する全画素走査駆動信号発生手段と、
上記固体撮像素子の全撮像領域の画素について所定の間引き率で特定画素を間引いて走査するための間引き走査駆動信号を発生する間引き走査駆動信号発生手段と、
上記ブロック走査駆動信号、全画素走査駆動信号及び間引き走査駆動信号のいずれかに切り換えるための駆動信号切換手段とを有し、
上記表示装置は、
上記ブロック、全画素又は間引き走査駆動信号により走査され上記固体撮像素子より出力された画像情報を記憶するメモリ手段と、
上記メモリ手段に記憶された画像情報に対応する画像を表示するための表示手段とを有することを特徴とする撮像表示システム。
【請求項８】  上記メモリ手段は、上記ブロック又は全画素走査駆動信号により走査され上記固体撮像素子より出力された画像情報を記憶するブロック・全画素メモリ手段と、上記間引き走査駆動信号により走査され上記固体撮像素子より出力された画像情報を記憶する間引きメモリ手段とを備えてなり、上記表示装置は、更に、切り換えられた駆動信号に応じて各メモリ手段を選択するメモリ選択手段を有することを特徴とする請求項７に記載の撮像表示システム。
【請求項９】  撮像装置により得られた画像情報を表示装置に伝送し、この表示装置により伝送された画像情報に対応する画像を表示する撮像表示システムであって、
上記撮像装置は、
Ｘ−Ｙアドレス型の固体撮像素子と、
上記固体撮像素子の全撮像領域中の一部の領域を特定する特定手段と、
全撮像領域中の一部の所定領域の画素を所定順序で順次走査する乃至は上記特定手段により特定された全撮像領域中の一部の領域の画素を走査するためのブロック走査駆動信号を発生するブロック走査駆動信号発生手段と、
上記表示装置は、
上記ブロック走査駆動信号により走査され上記固体撮像素子より出力された画像情報を記憶するメモリ手段と、
上記メモリ手段に記憶された画像情報に対応する画像を表示するための表示手段とを有することを特徴とする撮像表示システム。
【請求項１０】  上記駆動信号切換手段は、上記特定手段の出力に基づいて制御されるものであることを特徴とする請求項１，３または７に記載の撮像表示システム。
【請求項１１】  上記特定手段は、上記固体撮像素子の全撮像領域中の動きがあった領域を特定する動き検出手段であることを特徴とする請求項１，３，５，７，９または１０に記載の撮像表示システム。
【請求項１２】  上記特定手段は、操作者が任意に上記固体撮像素子の全撮像領域中の一部の領域を特定するための操作部であることを特徴とする請求項１，３，５，７，９または１０に記載の撮像表示システム。
【請求項１３】  上記固体撮像素子の全撮像領域のうちの使用する領域を設定するための設定手段を有することを特徴とする請求項１乃至１１に記載の撮像表示システム。
【請求項１４】  撮像装置により得られた画像情報を表示装置に伝送し、この表示装置により伝送された画像情報に対応する画像を表示する撮像表示システムであって、
上記撮像装置は、
Ｘ−Ｙアドレス型の固体撮像素子と、
上記固体撮像素子の全撮像領域中の一部の領域の画素を走査するためのブロック走査駆動信号を発生するブロック走査駆動信号発生手段と、
上記固体撮像素子の全撮像領域の画素について所定の間引き率で特定画素を間引いて走査するための間引き走査駆動信号を発生する間引き走査駆動信号発生手段と、
上記ブロック走査駆動信号と上記間引き走査駆動信号とを切り換えるための駆動信号切換手段とを有し、
上記表示装置は、
上記撮像装置に対して、ブロック走査するか又は間引き走査するかを指示するための操作部と、
上記操作部の操作に基づいて、上記駆動信号切換手段を切り換え制御するための制御信号を生成し、この制御信号を出力して上記撮像装置に伝送する制御信号生成出力手段と、
上記制御信号に応じて切り換え制御された上記ブロック又は間引き走査駆動信号により走査され上記固体撮像素子より出力された画像情報を記憶するメモリ手段と、
上記メモリ手段に記憶された画像情報に対応する画像を表示するための表示手段とを有することを特徴とする撮像表示システム。
【請求項１５】  上記操作部は、ブロック走査における全撮像領域中の一部の領域を指定するようになされ、上記制御信号は、ブロック走査における上記操作部により指定された領域のアドレス情報を含んでなり、このアドレス情報に基づいたブロック走査駆動信号により上記固体撮像素子が走査されることを特徴とする請求項１４に記載の撮像表示システム。
【請求項１６】  上記表示装置は、上記撮像装置に対して表示装置が複数ある場合に、自己の識別情報を上記制御信号に付加することを特徴とする請求項１４に記載の撮像表示システム。
【請求項１７】  撮像装置により得られた画像情報を表示装置に伝送し、この表示装置により伝送された画像情報に対応する画像を表示する撮像表示システムであって、
上記撮像装置は、
Ｘ−Ｙアドレス型の固体撮像素子と、
上記固体撮像素子の全撮像領域の画素について１／ｎ（ｎは正の整数）の間引き率で間引いて特定の画素のみを走査させるとともに、フレーム毎に走査の対象となる上記特定の画素を順次規則的にシフトさせることにより、ｎフレームを１サイクルとして、１サイクル毎に全撮像領域の全画素の情報を出力させるように駆動する撮像素子駆動手段と、
上記固体撮像素子から出力される１／ｎの間引き率で間引かれた画像情報を上記表示装置に対して送信する送信手段と、
を有することを特徴とする撮像表示システム。
【請求項１８】  撮像装置により得られた画像情報を表示装置に伝送し、この表示装置により伝送された画像情報に対応する画像を表示する撮像表示システムであって、
上記表示装置は、
上記撮像装置から送信される１／ｎ（ｎは正の整数）の間引き率で間引かれた画像情報を受信する受信手段と、
上記１／ｎの間引き率で間引かれた画像情報に対応する画像を表示する第１の表示手段と、
ｎフレーム分の上記１／ｎの間引き率で間引かれた画像情報に基づいて、１フレームの高精細な画像情報を再構築可能な信号処理手段と、
上記信号処理手段から出力される高精細な画像情報に対応する高精細な画像を表示する第２の表示手段と、
を有することを特徴とする撮像表示システム。
【請求項１９】  撮像装置により得られた画像情報を表示装置に伝送し、この表示装置により伝送された画像情報に対応する画像を表示する撮像表示システムであって、
上記撮像装置は、
Ｘ−Ｙアドレス型の固体撮像素子と、
上記固体撮像素子の全撮像領域の画素について１／ｎ（ｎは正の整数）の間引き率で間引いて特定の画素のみを走査させるとともに、フレーム毎に走査の対象となる上記特定の画素を順次規則的にシフトさせることにより、ｎフレームを１サイクルとして、１サイクル毎に全撮像領域の全画素の情報を出力させるように駆動する撮像素子駆動手段と、
上記固体撮像素子から出力される１／ｎの間引き率で間引かれた画像情報を上記表示装置に対して送信する送信手段とを有し、
上記表示装置は、
上記撮像装置から送信される１／ｎの間引き率で間引かれた画像情報を受信する受信手段と、
上記１／ｎの間引き率で間引かれた画像情報に対応する画像を表示する第１の表示手段と、
ｎフレーム分の上記１／ｎの間引き率で間引かれた画像情報に基づいて、１フレームの高精細な画像情報を再構築可能な信号処理手段と、
上記信号処理手段から出力される高精細な画像情報に対応する高精細な画像を表示する第２の表示手段とを有することを特徴とする撮像表示システム。
【請求項２０】  上記撮像装置は、さらに、
上記固体撮像素子の全撮像領域の画素について１／ｎの間引き率で間引いて特定の画素のみを走査させるとともに、フレーム毎に走査の対象となる上記特定の画素を順次規則的にシフトさせることにより、ｎフレームを１サイクルとして、１サイクル毎に全撮像領域の全画素の情報を出力させるように駆動する第１のモードと、
上記固体撮像素子の全撮像領域の画素について１／ｎの間引き率で間引いて特定の画素のみを各フレーム毎に固定して走査させ、または、特定の画素およびその近傍の画素を加算して各フレーム毎に固定して走査させる第２のモードと、
を切り換えるためのモード切換手段を有することを特徴とする請求項１７または１９に記載の撮像表示システム。
【請求項２１】  上記表示装置は、さらに、
上記第１のモードと第２のモードの選択を指示入力するためのモード指定手段と、
このモード指定手段により指定されたモード情報を上記撮像装置に対して送信する送信手段とを有し、
上記撮像装置は、さらに、
上記表示装置から送信されるモード情報を受信して、上記モード切換手段に出力する受信手段を有することを特徴とする請求項２０に記載の撮像表示システム。
【請求項２２】  上記１／ｎの間引き率で間引かれた画像情報は、標準信号方式に従うまたは準ずるものであることを特徴とする請求項１７，１８または１９に記載の撮像表示システム。
【請求項２３】  上記撮像装置は、
上記間引き率の情報、上記特定の画素をシフトさせる順序の情報、上記１サイクルにおけるフレーム番号の情報、または上記撮像素子の全撮像領域の画素構成の情報の少なくとも１つを含むインデックス情報を上記表示手段に対して送信するものであることを特徴とする請求項１７または１９に記載の撮像表示システム。
【請求項２４】  上記インデックス情報は、画像情報に重畳して送信されるものであることを特徴とする請求項２３に記載の撮像表示システム。
【請求項２５】  撮像装置により得られた画像情報を表示装置に伝送し、この表示装置により伝送された画像情報に対応する画像を表示する撮像表示システムであって、
上記撮像装置は、
Ｘ−Ｙアドレス型の固体撮像素子と、
上記固体撮像素子の画素について所定の間引き率で特定画素を間引いて走査するための間引き走査駆動信号を発生するものであって、読み出す画像信号のフレーム毎に、読み出し画素位置を異ならせるように該間引き走査駆動信号を発生する間引き走査駆動信号発生手段と、を有し、
上記表示装置は、
上記間引き走査駆動信号により走査され上記固体撮像素子より出力された画像情報を記憶するメモリ手段と、
上記メモリ手段に記憶された画像情報に対応する画像を表示するための表示手段と、を有することを特徴とする撮像表示システム。